(57)【要約】【課題】重量のある内容物を包装しても、持ちやすく、取っ手の取れる恐れがなく、持ちやすい包装袋を提供する。【解決手段】表裏のフィルムの周縁部をシールした包装袋１００であって、包装袋１００の側辺にガゼットフィルムを差し込まれてサイドガゼットが設けられ、一方のガゼットフィルム２は、断面Ｍ字型に蛇腹折りされ、中の２面を熱融着して接着させ、接着した前記２面に、切込みによるサイド側取っ手７が設けられている。蛇腹折りされたガゼットフィルム２は、長手方向の上端部がＭ字型の下端に重なるように、上端側で三角形に折られ、包装袋の側辺の上端から離して差し込まれ、表裏のフィルムに挟まれて熱融着され取り付けられている。【選択図】図１
2016055916.tif 000002
【特許請求の範囲】
【請求項１】
表裏のフィルムの周縁部をシールした包装袋であって、
該包装袋の側辺にガゼットフィルムを差し込まれてサイドガゼットが設けられ、一方の前記ガゼットフィルムは、断面Ｍ字型に蛇腹折りされ、中の２面を熱融着して接着させ、接着した前記２面に、切込み、または、貫通孔によるサイド側取っ手が設けられていることを特徴とする包装袋。
【請求項２】
蛇腹折りされた前記ガゼットフィルムは、長手方向の上端部が前記Ｍ字型の下端に重なるように、上端側で三角形に折られ、包装袋の前記側辺の上端から離して差し込まれ、表裏の前記フィルムに挟まれてシールされ取り付けられていることを特徴とする請求項１に記載の包装袋。
【請求項３】
蛇腹折りされた前記ガゼットフィルムが取り付けられていない他方の側辺と、上辺との隅部に注出口が設けられていることを特徴とする請求項１または２に記載の包装袋。
【請求項４】
前記注出口に口栓が取り付けられていることを特徴とする請求項３に記載の包装袋。
【請求項５】
上辺の前記注出口が設けられていない隅部に隅部広幅シール部が設けられ、該隅部広幅シール部に、切込み、または、貫通孔による隅部側取っ手が設けられていることを特徴とする請求項３または４に記載の包装袋。
【請求項６】
蛇腹折りされた前記ガゼットフィルムと反対側のガゼットフィルムに注出口が設けられていることを特徴とする請求項１または２に記載の包装袋。
【請求項７】
前記注出口に口栓が取り付けられていることを特徴とする請求項６に記載の包装袋。
【請求項８】
上辺に上部広幅シール部が設けられ、該上部広幅シール部に、切込み、または、貫通孔による上部側取っ手が設けられていることを特徴とする請求項６または７に記載の包装袋。
【発明の詳細な説明】
【技術分野】
【０００１】
本発明は、包装袋に関するものである。
【背景技術】
【０００２】
シャンプー、リンス、パーマ液、ヘアカラー液、液体洗濯用洗剤、柔軟剤等の液体の製品を収納する容器は、従来、プラスチックボトルが多く用いられてきた。そして、近年、これらのプラスチックボトルへの詰め替え用として、空になったプラスチックボトルに丁度入るような容量の液体製品が、スタンディングパウチに充填されて、商店の棚を広く占めるようになって来た。
【０００３】
また、更に低コスト化するために、繰り返し使用するプラスチックボトルの数倍の容量の包装袋に充填された液体製品が発売されるようになって、空になったプラスチックボトルに繰り返し詰め替えることも行われるようになった。
【０００４】
このような包装袋や、業務用の液体製品の包装袋では、重さが数キログラムになるので、通常の形態では持ち上げて詰め替えることが難しいということがあった。このような問題から持ちやすい包装袋の要求がある。
【０００５】
この持ちやすく工夫された包装袋としては、取っ手を付けた包装袋がある。例えば、表裏のフィルムの周縁部をシールした包装袋であって、表裏のフィルムの間にガゼット部が設けられ、一方のガゼット部には再密封可能な注出部が形成され、他方のガゼット部にシート状のストリップからなる運搬取っ手が接着剤で、又は、熱融着で接着されて配置された包装袋がある（特許文献１）。
【０００６】
公知文献を以下に示す。
【先行技術文献】
【特許文献】
【０００７】
【特許文献１】特表２０１０−５２７８５７号公報
【発明の概要】
【発明が解決しようとする課題】
【０００８】
前述の包装袋では、ガゼット部にシート状のストリップを取り付けて取っ手としているので、液体製品に用いると重量があるので、ストリップの両端を余程強固に接着していなくては取っ手が取れてしまう恐れがあり、用いる接着剤の種類が限られる。あるいは、熱融着する場合は、ガゼット部の外表面が熱溶融可能である必要があり製袋にかなりの工夫が必要になる。
【０００９】
また、別部材のストリップを取り付けるため、通常の製袋工程のほかに、取り付ける工程が必要であり手間が掛かる上、コストアップにもなる。また、ガゼット部を引っ張り上げるようになるので、表裏のフィルムの間が狭まり、液体の内容物では、圧迫され飛び出してしまう恐れがある。
【００１０】
本発明は上記のような事情に鑑みてなされたもので、重量のある内容物を包装しても、持ちやすく、取っ手の取れる恐れがなく、持ちやすい包装袋を提供することを課題とする。
【課題を解決するための手段】
【００１１】
本発明は係る課題に鑑みなされたものであり、請求項１の発明は、表裏のフィルムの周縁部をシールした包装袋であって、
該包装袋の側辺にガゼットフィルムを差し込まれてサイドガゼットが設けられ、一方の前記ガゼットフィルムは、断面Ｍ字型に蛇腹折りされ、中の２面を熱融着して接着させ、接着した前記２面に、切込み、または、貫通孔によるサイド側取っ手が設けられていることを特徴とする包装袋である。
【００１２】
本発明の包装袋は、以上のような構成であって、ガゼットフィルムを、断面Ｍ字型に蛇腹折りして、中の２面を熱融着して接着させ、接着した２面に、サイド側取っ手となる切込み、または、貫通孔が設けられているので、重量のある内容物を包装しても、持ちやすく、取っ手の取れる恐れがなく、持ちやすい
本発明の請求項２の発明は、蛇腹折りされた前記ガゼットフィルムは、長手方向の上端部が前記Ｍ字型の下端に重なるように、上端側で三角形に折られ、包装袋の前記側辺の上端から離して差し込まれ、表裏の前記フィルムに挟まれてシールされ取り付けられていることを特徴とする請求項１に記載の包装袋である。
【００１３】
本発明は、蛇腹折りされたガゼットフィルムが、長手方向の上端部がＭ字型の下端に重なるように、上端側で三角形に折られ、包装袋の前記側辺の上端から離して差し込まれ、表裏の前記フィルムに挟まれて熱融着され取り付けられているので、液体を充填したときに、上部が薄くなり、下部が内容物で膨らむので、立たせて置いたときに安定している。
【００１４】
本発明の請求項３の発明は、蛇腹折りされた前記ガゼットフィルムが取り付けられていない他方の側辺と、上辺との隅部に注出口が設けられていることを特徴とする請求項１または２に記載の包装袋である。
【００１５】
本発明は、蛇腹折りされた前記ガゼットフィルムが取り付けられていない他方の側辺と、上辺との隅部に注出口が設けられているので、サイド側取っ手を持って注ぎやすい。また、ガゼットフィルムが、包装袋の側辺の上端から離して差し込まれているので、このように、他方の側辺と上辺との隅部に注出口を設けることができる。
【００１６】
本発明の請求項４の発明は、前記注出口に口栓が取り付けられていることを特徴とする請求項３に記載の包装袋である。
【００１７】
本発明はさらに、注出口に口栓が取り付けられているので、再封が容易で、何回でも繰り返し再封することもできる。
【００１８】
本発明の請求項５の発明は、上辺の前記注出口が設けられていない隅部に隅部広幅シール部が設けられ、該隅部広幅シール部に、切込み、または、貫通孔による隅部側取っ手が設けられていることを特徴とする請求項３または４に記載の包装袋である。
【００１９】
本発明の包装袋は、注出口が設けられていない隅部に隅部広幅シール部が設けられ、この隅部広幅シール部に隅部側取っ手が設けられるので、立てて置かれていたときに持ち上げやすく、縦長の包装袋であれば、安定して持ち運びができる。また、内容部を注ぎ出すときに、サイド側取っ手と隅部側取っ手を同時に持つことよって、ゆっくり傾けることができ、注ぎだしやすい。
【００２０】
本発明の請求項６の発明は、蛇腹折りされた前記ガゼットフィルムと反対側のガゼットフィルムに注出口が設けられていることを特徴とする請求項１または２に記載の包装袋である。
【００２１】
本発明の包装袋では、蛇腹折りされたガゼットフィルムと反対側のガゼットフィルムに注出口が設けられているので、サイド側取っ手を持って、注ぎ出すことができる。
【００２２】
本発明の請求項７の発明は、前記注出口に口栓が取り付けられていることを特徴とする請求項６に記載の包装袋である。
【００２３】
本発明はさらに、注出口に口栓が取り付けられているので、再封が容易で、何回でも繰り返し再封することもできる。
【００２４】
本発明の請求項８の発明は、上辺に上部広幅シール部が設けられ、該上部広幅シール部に、切込み、または、貫通孔による上部側取っ手が設けられていることを特徴とする請求項６または７に記載の包装袋である。
【００２５】
本発明の包装袋では、上辺に上部広幅シール部が設けられ、上部広幅シール部に上部側取っ手が設けられているので、立てて置かれていたときに持ち上げやすく、縦長の包装袋であれば、安定して持ち運びができる。また、内容部を注ぎ出すときに、サイド側取っ手と上部側取っ手を同時に持つことによって、ゆっくり傾けることができ、注ぎだしやすい。
【発明の効果】
【００２６】
本発明の包装袋は、重量のある内容物を包装しても、持ちやすく、取っ手が取れる恐れがない。
【図面の簡単な説明】
【００２７】
【図１】本発明の包装袋の第１の実施形態を模式的に平面で示した説明図である。
【図２】（Ａ）〜（Ｃ）本発明の包装袋の第１の実施形態の他方のガゼットフィルムの折り方を説明する説明図である。
【図３】（Ａ）〜（Ｆ）本発明の包装袋の第１の実施形態の一方のガゼットフィルムの折り方を説明する説明図である。
【図４】本発明の包装袋の第１の実施形態に用いる口栓の説明図である。（Ａ）正面図である。（Ｂ）平面図である。
【図５】本発明の包装袋の第１の実施形態に内容物を充填した状態の説明図である。
【図６】本発明の包装袋の第２の実施形態を模式的に平面で示した説明図である。
【図７】（Ａ）〜（Ｃ）本発明の包装袋の第２の実施形態の他方のガゼットフィルムの折り方を説明する説明図である。
【図８】本発明の包装袋の第２の実施形態に用いる口栓とその取り付け方を説明する説明図である。
【図９】本発明の包装袋の第２の実施形態に内容物を充填した状態の説明図である。
【発明を実施するための形態】
【００２８】
＜第１の実施形態＞
以下、本発明を実施するための第１の実施形態につき説明する。
図１は、本発明の包装袋の第１の実施形態を模式的に平面で示した説明図、図２は、（Ａ）〜（Ｃ）本発明の包装袋の第１の実施形態の他方のガゼットフィルムの折り方を説明する説明図、図３（Ａ）〜（Ｆ）は、本発明の包装袋の第１の実施形態の一方のガゼットフィルムの折り方を説明する説明図、図４は、本発明の包装袋の第１の実施形態に用いる口栓の説明図で、（Ａ）は、正面図、（Ｂ）は、平面図、図５は、本発明の包装袋の第１の実施形態に内容物を充填した状態の説明図である。
【００２９】
第１の実施形態の包装袋１００は、表裏のフィルムの周縁部をシールした包装袋であっ
て、図１のように、包装袋の側辺にガゼットフィルム１、２が差し込まれてサイドガゼットが設けられたサイドガゼット袋である。
【００３０】
ガゼットフィルム１、２は、包装袋の上端から離して差し込まれていて、ガゼットフィルム１の取り付けられた左側辺と上辺との隅部には斜めシール部３が設けられ、斜めシール部３に注出口となる口栓４が取り付けられている。
【００３１】
また、反対側のガゼットフィルム２の取り付けられた右側辺と上辺との隅部には、隅部広幅シール部５が設けられていて、この隅部広幅シール部５には、切込みによる隅部側取っ手６が設けられている。
【００３２】
本実施形態では、持ったときに痛くないように、また、製袋で異物混入の恐れのある抜きくずが出ないように、切込みにより隅部側取っ手６を設けたが、貫通孔によって隅部側取っ手を設けても良い。
【００３３】
左側辺に差し込まれたガゼットフィルム１は、図２（Ａ）のような短冊形のフィルム（図の２点鎖線は折り位置で谷折りを示す、以下同様）を、図２（Ｂ）のように、縦に折って、通常のガゼットフィルムのように二つ折りされているが、包装袋１００の上端から離して差し込まれているので、内容物収納部と連通しないように、図２（Ｃ）のように、上端部を三角形になるように斜めに折って、上端縁が左側の外端縁に重なるように折って、包装袋１００に差し込まれ、側辺のシール部に端縁が収まるようにシールされている。
【００３４】
右側辺に差し込まれたガゼットフィルム２は、図３（Ａ）のような幅の広い短冊形のフィルム（図の１点鎖線は折り位置で山折りを示す、以下同様）で、中央に山折りする折り位置ａと、その左右に谷折りする折り位置ｂ、ｂを示す。この中央の折り位置ａで、図３（Ｂ）のように山折りする。そして、折り位置ａと折り位置ｂの間を熱融着し接着する。このようにして、後で断面Ｍ字型に蛇腹折りしたときに、中の２面となる部分を熱融着して接着させることができる。
【００３５】
次に、この接着した折り位置ａと折り位置ｂの間、接着した中の２面に、図３（Ｃ）のように、切込みによるサイド側取っ手７を設ける。更に、図３（Ｄ）のように、折り位置ｂ、ｂを折る。図３（Ｅ）は、図３（Ｄ）の断面形状を示していて、ガゼットフィルム２の断面がＭ字型になり、蛇腹折り（経本折り、アコーディオン折り、とも云う）されている。
【００３６】
そして、ガゼットフィルム１と同様に、内容物収納部と連通しないように、図３（Ｆ）のように、上端部を三角形になるように斜めに折って、上端縁が右側の外端縁に重なるように折って、包装袋１００に差し込まれている。
【００３７】
ガゼットフィルム１、２を包装袋１００に差し込む位置は、下端が包装袋１００の下端に一致させるが、上端は包装袋の側辺の上端から離して差し込まれる。包装袋１００の全高をＸｍｍのとき、ガゼットフィルム１、２の上端の包装袋１００の上端からの距離をＹｍｍとすると、Ｙの範囲は、１／５０Ｘ≦Ｙ≦２／５Ｘであることが好ましい。
【００３８】
上端からの距離Ｙが、全高Ｘの１／５０より小さいと包装袋１００と立てて置くとき、内容物が包装袋１００の上部まで入ったものになるので、自立安定性が悪い。また、注出するときに、内容物が勢い良く飛び出して、詰め替える場合にこぼれてしまう。距離Ｙが、全高Ｘの２／５より大きいと、包装袋１００の上部が折れ曲がり、やはり自立安定性が悪い。
【００３９】
斜めシール部３に注出口として取り付けられた口栓４は、図４（Ａ）の正面図のように、キャップ４１とスパウト４２からなり、スパウトの下部の台座部４２ａは、図４（Ｂ）の平面図のように左右に細長くのばされている。
【００４０】
この台座部４２ａが、斜めシール部３の表裏のフィルムに挟まれて熱融着され、取り付けられている。そして、スパウト４２の中央には注出路が設けられ、スパウト４２の上部はキャップ４１と螺合していて、キャップ４１を外して、内容物が注出路を通って注出できるようになっている。
【００４１】
このように包装袋１００が構成されているので、内容物を充填すると、ガゼットフィルム１は、折った部分が延ばされ平坦になる。ガゼットフィルム２は、中の２面は接着されているので、外側の２面が延ばされ平坦になる。
【００４２】
このため、図５のように、中の２面のサイド側取っ手７の部分が押し出されてくる。このようになるので、サイド側取っ手７を持って、包装袋１００を持ち上げて傾け、キャップ４１を外した口栓４から内容物を注ぎだすことが容易にできる。また、このとき、他方の手で、隅部側取っ手６を持って、補助するとより注ぎやすい。
【００４３】
包装袋１００の表裏のフィルムやガゼットフィルム１、２は、外層側の基材フィルムと内層側のシーラント層とが積層された積層フィルムからなっている。基材フィルムとして、ナイロン、ポリエチレンテレフタレート、ポリプロピレンなどの２軸延伸のプラスチックフィルムが好ましく使用できる。また、これらのフィルムの内面に無機酸化物蒸着層を設けた蒸着フィルムを用いてもよい。
【００４４】
シーラント層としては、熱溶融性樹脂が用いられる。ポリプロピレンや、低密度ポリエチレン、直鎖状低密度ポリエチレン、あるいは、酸変性ポリエチレンなどが用いられる。これらの樹脂を押し出して、押し出しラミネート法により、積層し設けることができる。あるいは、これらの無延伸のフィルムを用いて、ドライラミネート法で積層してもよい。
【００４５】
また、シーラント層として、低密度ポリエチレンや高密度ポリエチレンなどを真ん中にして、両面に直鎖状低密度ポリエチレンの層を設けたような多層のシーラントフィルムを用いてもよい。
【００４６】
さらに、基材フィルムとシーラント層の間に中間層を設けてもよい。中間層としては、基材フィルムを用いるのと同様な２軸延伸のプラスチックフィルムを、種類を違えて用いることもできる。また、中間層には、これらの樹脂の無延伸のフィルムや、１軸延伸のフィルムを用いてもよい。
【００４７】
バリア性が要求される場合は、アルミニウム箔などの金属箔や、ナイロン、ポリエチレンテレフタレート、ポリプロピレン、エチレンビニルアルコール共重合体などの２軸延伸のプラスチックフィルムに、酸化珪素や酸化アルミニウムなどの無機酸化物蒸着層を設けた蒸着フィルムを中間層に用いることができる。
【００４８】
＜第２の実施形態＞
以下本発明を実施するための第２の実施形態につき説明する。
図６は、本発明の包装袋の第２の実施形態を模式的に平面で示した説明図、図７（Ａ）〜（Ｃ）は、本発明の包装袋の第２の実施形態の他方のガゼットフィルムの折り方を説明する説明図、図８は、本発明の包装袋の第２の実施形態に用いる口栓とその取り付け方を説明する説明図、図９は、本発明の包装袋の第２の実施形態に内容物を充填した状態の説明図である。
【００４９】
第２の実施形態の包装袋２００は、表裏のフィルムの周縁部をシールした包装袋であって、図６のように、包装袋の側辺にガゼットフィルム８、２が差し込まれてサイドガゼットが設けられたサイドガゼット袋である。
【００５０】
ガゼットフィルム８、２は、包装袋の上端から離して差し込まれていて、ガゼットフィルム８の上部には、注出口となる口栓９が取り付けられている。また、包装袋２００の上辺には、上部広幅シール部１０が設けられている。この上部広幅シール部１０に、切込みによる上部側取っ手１１が設けられている。
【００５１】
本実施形態では、持ったときに痛くないように、また、製袋で異物混入の恐れのある抜きくずが出ないように、切込みにより上部側取っ手１１を設けたが、貫通孔によって隅部側取っ手６を設けても良い。
【００５２】
左側辺に差し込まれたガゼットフィルム８は、図７（Ａ）のように、短冊形のフィルムからなっていて、口栓９が取り付けられている。この短冊形のフィルムを、図７（Ｂ）のように、縦に折って、通常のガゼットフィルムのように二つ折りされるが、包装袋２００の上端から離して差し込まれているので、内容物収納部と連通しないように、図７（Ｃ）のように、上端部を三角形になるように斜めに折って、上端縁が左側の外端縁に重なるように折って、包装袋２００に差し込まれ、側辺のシール部に端縁が収まるようにシールされている。
【００５３】
右側辺に差し込まれたガゼットフィルム２は、第１の実施形態の包装袋１００のガゼットフィルム２と同じものを用いて、包装袋２００に同様に差し込まれているので、説明は省略する。
【００５４】
ガゼットフィルム８、２を包装袋２００に差し込む位置は、包装袋１００と同様に、下端を包装袋２００の下端に一致させるが、上端は包装袋の側辺の上端から離して差し込まれる。
【００５５】
ガゼットフィルム８に注出口として取り付けられた口栓９は、図８のように、キャップ９１とスパウト９２からなり、スパウトの下部の台座部９２ａは、薄い板状に成型されていている。
【００５６】
口栓９は、ガゼットフィルム８の裏面から差し込まれ、台座部９２ａがガゼットフィルム８の裏面に熱融着され、取り付けられている。そして、スパウト９２の中央は注出路が設けられ、スパウト９２の上部はキャップ９１と螺合していて、キャップ９１を外して、内容物が注出路を通って注出できるようになっている。
【００５７】
このように包装袋２００が構成されているので、内容物を充填すると、ガゼットフィルム８は、折った部分が延ばされ平坦になる。ガゼットフィルム２は、中の２面は接着されているので、外側の２面が延ばされ平坦になる。
【００５８】
このため、図９のように、中の２面のサイド側取っ手７の部分が押し出されてくる。このようになるので、サイド側取っ手７を持って、包装袋２００を持ち上げて傾け、キャップ９１を外した口栓９から内容物を注ぎ出すことが容易にできる。また、このとき、他方の手で、上部側取っ手１１を持って、補助するとより注ぎやすい。
【００５９】
包装袋２００の表裏のフィルムやガゼットフィルム８、２は、包装袋１００に用いたものと同様の積層フィルムを用いることができる。
【符号の説明】
【００６０】
１００、２００・・・包装袋
１、２、８・・・ガゼットフィルム
３・・・斜めシール部
４、９・・・口栓
４１、９１・・・キャップ
４２、９２・・・スパウト
４２ａ、９２ａ・・・台座部
５・・・隅部広幅シール部
６・・・隅部側取っ手
７・・・サイド側取っ手
１０・・・上部広幅シール部
１１・・・上部側取っ手
ａ、ｂ・・・折り位置
【図１】
2016055916.tif 000003
【図２】
2016055916.tif 000004
【図３】
2016055916.tif 000005
【図４】
2016055916.tif 000006
【図５】
2016055916.tif 000007
【図６】
2016055916.tif 000008
【図７】
2016055916.tif 000009
【図８】
2016055916.tif 000010
【図９】
2016055916.tif 000011